(57)【要約】【課題】  様々なサービスや様々な信号種別の異なる信号を収容可能とする装置において、故障個所の切り分けを容易にする。レイヤ統合装置の保守で、レイヤ個別に保守するニーズや、レイヤ間の処理を実施した結果で保守するニーズがあり、保守者が任意に保守方法を選択可能にする。【解決手段】  保守者３００１がどのようなレイヤ種別をどのように管理したいかを選択するような設定画面を設定装置３０００に搭載しておく。保守者３００１によりレイヤ統合設定かレイヤ個別設定かが、表示部３００５及び設定部３００４により選択及び設定される。保守者３００１の設定結果から、設定装置３０００またはＮＥ３００７が、それに応じた処理を実施して、障害表示を行う。【選択図】  図３
2011155388.tif 000002
【特許請求の範囲】
【請求項１】
第１のレイヤのネットワークと、
第１のレイヤより上位の第２のレイヤのネットワークと、
各レイヤに設けられ、障害を監視する監視制御部を有する複数のネットワーク構成装置（ＮＥ）と、
設定情報を管理する設定部と、前記設定情報を基に障害表示を処理する制御部とを有し、各ＮＥから障害情報を受信及び表示する設定装置と
を備えた通信ネットワークにおける、障害表示方法であって、
前記設定装置の前記設定部は、レイヤ間を跨る処理を実施させる第1設定か、レイヤ個別の処理を実施させる第２設定かを設定し、
前記設定部に前記第1設定が設定されている場合、
各ＮＥ又は各ＮＥに関連する伝送路に関して第１のレイヤ障害が発生するときには、前記各ＮＥの前記監視制御部は、該第１のレイヤ障害と、該ＮＥが収容された第２のレイヤに相当する第２のレイヤ障害を含む複数の障害を検出し、第１のレイヤ障害情報と第２のレイヤ障害情報を含む複数の障害情報を前記設定装置に通知し、前記設定装置の前記制御部は、第２のレイヤ障害表示を通知せず、第１のレイヤ障害を表示させ、
各ＮＥ又は各ＮＥに関連する伝送路に関して第２のレイヤ障害が発生するときには、前記各ＮＥの前記監視制御部は、第２のレイヤ障害を検出し、第２のレイヤ障害情報のみを前記設定装置に通知し、前記設定装置の前記制御部は、第２のレイヤ障害を表示させる
ことを特徴とする障害表示方法。
【請求項２】
前記設定部に前記第２設定が設定されている場合、
各ＮＥ又は各ＮＥに関連する伝送路に関して第１のレイヤ障害が発生するときには、前記各ＮＥの前記監視制御部は、該第１のレイヤ障害と、該ＮＥが収容された第２のレイヤに相当する第２のレイヤ障害を含む複数の障害を検出し、第１のレイヤ障害情報と第２のレイヤ障害情報の両方を前記設定装置に通知し、前記設定装置の前記制御部は、第１のレイヤ障害及び第２のレイヤ障害をそれぞれ表示させる
ことを特徴とする請求項１に記載の障害表示方法。
【請求項３】
第１のレイヤのネットワークと、
第１のレイヤより上位の第２のレイヤのネットワークと、
各レイヤに設けられ、障害を監視する監視制御部を有する複数のネットワーク構成装置（ＮＥ）とを備えた通信ネットワークに接続され、各ＮＥから障害情報を受信及び表示する障害設定装置であって、
設定情報を管理する設定部と、
前記設定情報を基に障害表示を処理する制御部とを有し、
前記設定部は、レイヤ間の跨る処理を実施させる第１設定か、レイヤ個別の処理を実施させる第２設定かを設定し、
前記設定部に前記第１設定が設定されている場合、
前記各ＮＥの前記監視制御部から、各ＮＥ又は各ＮＥに関連する伝送路に関して第１のレイヤ障害が発生するとき、前記設定部は、第１のレイヤ障害情報と第２のレイヤ障害情報を含む複数の障害情報を受信し、前記制御部は、第２のレイヤ障害表示を通知せず、第１のレイヤ障害を表示させ、
前記各ＮＥの前記監視制御部から、各ＮＥ又は各ＮＥに関連する伝送路に関して第２のレイヤ障害が発生するとき、前記設定部は、第２のレイヤ障害情報のみを受信し、前記制御部は、第２のレイヤ障害を表示させる
ことを特徴とする障害設定装置。
【請求項４】
前記制御部は、
前記第１設定に対応する処理及びレイヤ構成に関するレイヤ間情報を予め記憶したレイヤ間情報部と、
前記設定情報が前記第１設定である場合、レイヤ間情報を前記レイヤ間情報部より取得し、該レイヤ間情報を基にレイヤ間の障害情報のマスク処理を実施するレイヤ間処理部と、
前記レイヤ間処理部による処理結果に従い、前記設定部に障害表示を通知するための情報管理部と
を備えたことを特徴とする請求項３に記載の障害設定装置。
【請求項５】
前記情報管理部は、
前記設定情報が前記第２設定である場合、前記レイヤ間処理部を用いずに、各レイヤの障害表示を前記設定部に通知すること
を特徴とする請求項４に記載の障害設定装置。
【請求項６】
第１のレイヤのネットワークと、
第１のレイヤより上位の第２のレイヤのネットワークと、
設定情報を管理する設定装置と、
各レイヤに設けられ、複数のネットワーク構成装置（ＮＥ）に対応する機能部と、
前記設定装置及び複数の前記機能部に接続されて、各ＮＥから障害情報を受信し、前記設定情報を基に障害表示を処理する監視制御部と
を備えた通信ネットワークにおける、障害表示方法であって、
前記設定装置は、レイヤ間の跨る処理を実施させる第１設定か、レイヤ個別の処理を実施させる第２設定かを設定し、
前記設定装置により前記第１設定が設定されている場合、
各ＮＥ又は各ＮＥに関連する伝送路に関して第１のレイヤ障害が発生するとき、各前記機能部は、該第１のレイヤ障害と、該ＮＥが収容された第２のレイヤに関する第２のレイヤ障害を含む複数の障害を検出し、第１のレイヤ障害情報と第２のレイヤ障害情報の両方を前記監視制御部に通知し、前記監視制御部は、第２のレイヤ障害表示を通知せず、第１のレイヤ障害を前記設定装置に表示させ、
各ＮＥ又は各ＮＥに関連する伝送路に関して第２のレイヤ障害が発生するとき、各前記機能部は、第２のレイヤ障害を検出し、第２のレイヤ障害情報のみを前記監視制御部に通知し、前記監視制御部は、第２のレイヤ障害を前記設定装置に表示させる
ことを特徴とする障害表示方法。
【請求項７】
前記設定装置により前記第２設定が設定されている場合、
各ＮＥ又は各ＮＥに関連する伝送路に関して第１のレイヤ障害が発生するとき、各前記機能部は、該第１のレイヤ障害と、該ＮＥが収容された第２のレイヤに相当する第２のレイヤ障害を含む複数の障害を検出し、第１のレイヤ障害情報と第２のレイヤ障害情報の両方を前記監視制御部に通知し、前記監視御部は、第１のレイヤ障害及び第２のレイヤ障害をそれぞれ前記設定装置に表示させる
ことを特徴とする請求項６に記載の障害表示方法。
【請求項８】
第１のレイヤのネットワークと、
第１のレイヤより上位の第２のレイヤのネットワークと、
保守者により設定された設定情報を管理する設定装置と、
各レイヤに設けられ、複数のネットワーク構成装置（ＮＥ）に対応する機能部とを備えた通信ネットワークに接続される監視制御装置であって、
各ＮＥから障害情報を受信し、前記設定情報を基に障害表示を処理する監視制御部と、
前記設定装置から、レイヤ間の跨る処理を実施させる第１設定か、レイヤ個別の処理を実施させる第２設定かを設定した設定情報を受信する受信部とを備え、
前記設定装置により前記第１設定が設定されている場合、
前記監視制御部は、
各ＮＥ又は各ＮＥに関連する伝送路に関して第１のレイヤ障害が発生するとき、各前記機能部から、第１のレイヤ障害情報と第２のレイヤ障害情報の両方を受信し、
第２のレイヤ障害表示を通知せず、第１のレイヤ障害を前記設定装置に表示させ、
各ＮＥ又は各ＮＥに関連する伝送路に関して第２のレイヤ障害が発生するとき、各前記機能部から、第２のレイヤ障害情報のみを受信し、
第２のレイヤ障害を前記設定装置に表示させる
ことを特徴とする監視制御装置。
【請求項９】
前記監視制御部は、
前記第１設定に対応する処理及びレイヤ構成に関するレイヤ間情報を予め記憶したレイヤ間情報部と、
前記設定情報が前記第１設定である場合、レイヤ間情報を前記レイヤ間情報部より取得し、該レイヤ間情報を基にレイヤ間の障害情報のマスク処理を実施するレイヤ間処理部と、
前記レイヤ間処理部による処理結果に従い、前記設定装置に障害表示を通知するための情報管理部と
を備えたことを特徴とする請求項８に記載の監視制御装置。
【請求項１０】
前記情報管理部は、
前記設定情報が前記第２設定である場合、前記レイヤ間処理部を用いずに、各レイヤの障害表示を前記設定装置に通知すること
を特徴とする請求項９に記載の監視制御装置。
【発明の詳細な説明】
【技術分野】
【０００１】
本発明は、障害表示方法、障害設定装置及び監視制御装置に係る。
本発明は、階層化された機器で構成されていた通信ネットワークにおいて、例えば、様々なレイヤや信号速度、フレームフォーマット等の異なる信号を、１台の装置で対応できる統合装置を用い、障害監視、保守、障害発生時の障害発生箇所の切り分け等が、例えばＥＭＳ（Ｅｌｅｍｅｎｔ  Ｍａｎａｇｅｍｅｎｔ  Ｓｙｓｔｅｍ）等と呼ばれる設定装置を用いることで、容易な構成で実現可能とする障害表示方法、障害設定装置及び監視制御装置に関する。
【背景技術】
【０００２】
近年、ＮＧＮ（ｎｅｘｔ  ｇｅｎｅｒａｔｉｏｎ  ｎｅｔｗｏｒｋ）なる次世代ネットワークの構築が、ブロードバンド回線普及によるトラフィックの増大やネットワークの高速化・大容量化に対応するべく構築されている。また、ＮＧＮのトランスポート・ストラタムは、バックボーン・ネットワーク、モバイルネットワーク、企業用ネットワーク、個人用ネットワーク等に大きく分類されており、バックボーン・ネットワークは大容量化、経済性、運用の簡易化、信頼性が要求されている。
【０００３】
大容量化については、ブロードバンド普及による容量の増大に対応するとともに、柔軟な拡張性が必要とされる。トラフィックの増加は飛躍的であり、ネットワークの増大予測は困難であろう。また、運用中のサービスに影響を与えることなく、拡張可能な機器が求められる。
【０００４】
経済性については、設備と運用の両面でのコストを低減することが要求される。トラフィックの増加やサービスの多様化に伴うネットワークの構成変更が、頻繁に要求され、それに柔軟に対応可能な機器が要求される。また、トランスポートレイヤとパケットレイヤ、ＯＳＩ参照モデルで定義された各レイヤに各機器が個別に管理運用されていたが、各機器の統合が要求されている。また、その統合するための装置をレイヤ統合装置と呼んでいる。
【０００５】
運用の簡易化については、シンプルなネットワーク設計と統合管理によるネットワーク管理者への負担軽減が必要とされる。ネットワーク構成は、リング構成からマルチリング構成、メッシュ構成へと発展しており、複雑化するネットワーク網の簡易化が求められる。ルーター網やアクセス網等の統合ネットワーク管理が要求されている。
信頼性については、大容量ネットワークのサービスを保証する高信頼性の機器が求められており、障害や災害など異常時に対する復旧が要求されている。
【０００６】
以上のような要求に対し、トランスポート・ストラタムで複数存在するネットワーク網において、そのネットワークで必要なレイヤの機器が個々に存在しており、そのような個々の機器を接続し、ネットワーク構築していた既存の構成を改善すべく、レイヤ毎の機器を一つの機器に統合し、経済性、運用の簡易化を図った機器が、通信業者から要求され始めている。
【０００７】
そのような機器は、ＷＤＭ  による各種インタフェースに対応した高速化の対応、Ｅｔｈｅｒｎｅｔ（登録商標）／ＴＤＭ／ＡＴＭの次世代ＳＯＮＥＴへの効率的回線収容、メトロコアエリアにおける迅速なサービスの提供と設計・運用管理の簡易化が必要とされており、このようなニーズを満たす機器として注目されている。レイヤ統合装置は、Ｅｔｈｅｒｎｅｔ（登録商標）／ＴＤＭ／ＡＴＭ等各種インタフェースを同一筐体又は装置でサポートするほか、ＩＰルータ、ＯＸＣ、ＳＯＮＥＴ、ＷＤＭ等の接続性を確保する次世代の機器である。
【０００８】
図１は、従来のネットワークの構成例である。図１で示したネットワークは、コアネットワーク（バックボーンネットワーク）１０００、メトロネットワーク１００１、アクセスネットワーク（例えば、個人宅用ネットワーク１００２、モバイル用ネットワーク１００３、企業用ネットワーク１００４）を備える。ＷＤＭ装置１００６、ＳＤＨ／ＳＯＮＥＴ装置１００５、ＡＤＳＬ／ＦＴＴＨ装置１００７、基地局１００８、ルータ１００９の各機器が、各ネットワークで要求される各レイヤのインタフェース種別の機能を具備し、各ネットワーク網の接続によって、ポイントトゥポイントを構成し、サービスを供給可能としている。
【０００９】
図２は、様々なレイヤの速度の信号を収容可能とするレイヤ統合装置の構成例を示す図である。
上図に示すように、ＷＤＭ装置１００６は、光信号の波長多重／分離及び、光信号の波長変換を行うＷＤＭ機能部２００１、ＯｐＳ（Ｏｐｅｒａｔｉｏｎ  Ｓｙｓｔｅｍ）などの上位制御からの制御信号に従いＷＤＭ機能部２００１を監視する監視制御部２００２を備える。
【００１０】
ＳＤＨ／ＳＯＮＥＴ装置１００５は、クライアント装置からの信号を収容する信号収容部２００３、その電気信号に変換された信号を多重／分離を実施する多重分離部２００４、ＯｐＳなどのなどの上位制御からの制御信号に従い信号収容部２００３、多重分離部２００４を監視する監視制御部２００５を備える。
【００１１】
ルータ１００９は、クライアント装置からの信号を収容する信号収容部２００６、その信号の電気信号をスイッチングを実施するスイッチ部２００７、ＯｐＳなどのなどの上位制御からの制御信号に従い信号収容部２００６、スイッチ部２００７を監視する監視制御部２００８を備える。
【００１２】
下図に示すように、レイヤ統合装置２０００は、同一のユニットに各レイヤで具備する機能を搭載可能な装置であり、クライアント装置からの信号を収容する信号収容部２００９、光信号のＷＤＭ機能部２０１０、電気信号の多重分離部２０１１、電気信号のスイッチ部２０１２、ＯｐＳなどのなどの上位制御からの制御信号に従い各機能部（２００９〜２０１２）を監視する監視制御部２０１３を備える。
よって、レイヤ統合装置２０００では、機器を統合することで、信号収容部、監視制御部の共通化が可能となった。
【００１３】
しかし、レイヤ統合装置がネットワークに導入されても、機器の保守者によっては、機器の保守体制が、レイヤ毎の機能毎に保守が分業されているケース、分業されていないケースといった違いがある。分業されているケースの場合、例えば、ＷＤＭシステム（装置または伝送路を含む。）で発生した障害による波及によって、ルータ機能を実施するスイッチ部でサービスに影響が発生したとしても、ＯｐＳにはＷＤＭシステムで発生した直接の原因である原因警報しか通知させない。よって、ＷＤＭシステムの保守担当者にとっては、障害発生箇所を短時間で探索可能であり、迅速な復旧に有効であるが、ルータの担当者としては、波及による事象としてサービスへの影響内容が把握できないケースがある。逆に、全レイヤの障害情報を、原因警報により波及の警報を処理せず通知することは、原因警報の探索に時間を要し、迅速な復旧に支障が生じる。
今後、ますます増加することが予想されるレイヤ統合に応えるために、これらの課題を解決しながら柔軟に運用できるネットワーク構成が求められている。
【先行技術文献】
【特許文献】
【００１４】
【特許文献１】特開２００５−０３９５３８、特許第４００２２２１号、「マルチレイヤノード制御システム」
【発明の概要】
【発明が解決しようとする課題】
【００１５】
上記背景技術で説明したように、レイヤ統合装置は、トランスポートレイヤとパケットレイヤ等の各レイヤ、ＯＳＩ参照モデルで定義された各レイヤ、エアネットワーク（バックボーンネットワーク）・メトロネットワーク・アクセスネットワーク等の各ネットワークの各レイヤ等のように異なるレイヤを意識することなく、一元管理することが可能となり、そのことが機器導入のコストメリット、故障評定の切り分けを容易にする保守運用メリットがある。しかし、通信事業者によっては、レイヤ毎に保守や監視の手法・処理・形態・運用・対応等が異なっており、レイヤ統合を実施した保守や監視、レイヤ毎に独立した保守や監視を、保守者の任意の設定により選択可能とする必要がある場合が想定される。更にその設定内容を保守者が容易に識別可能にする必要がある。
【００１６】
本発明では、以上の点に鑑み、様々なサービスや様々な信号種別の異なる信号を収容可能とする装置において、故障・障害個所の切り分けを容易にすることを目的とする。また、本発明は、例えば、ＥＭＳと呼ばれるような保守に関する設定装置を用いることで、レイヤ統合装置でありながら、保守・監視についてのレイヤの統合管理、レイヤ毎の独立管理を提供可能とすることを目的とする。
【課題を解決するための手段】
【００１７】
上記課題を解決するために、本発明では、保守者がどのようなレイヤ種別をどのように管理したいか又は管理するかを選択するような設定画面を設定装置に搭載しておく。設定装置は、保守者が設定した管理方法の情報である信号種別設定を判断し、レイヤ統合装置の保守画面を、レイヤ統合設定かレイヤ個別設定かに選択する。適用する保守画面は、レイヤ統合設定、レイヤ個別設定の個々を用意し、設定に応じた設定装置の画面を表示する。設定されたレイヤの情報は、ＮＥ（Ｎｅｔｗｏｒｋ  Ｅｌｅｍｅｎｔ）からの各レイヤの監視制御信号を設定装置が受信し、設定装置で、不要な情報を非発生とさせるようなレイヤ処理を実施することで保守対象でないレイヤの情報をマスクすることを可能とする。また別の手段として、ＮＥでレイヤ統合設定、レイヤ個別設定処理をＮＥが実施し、ＮＥが必要とされている情報のみを設定装置に通知することで可能する。
【００１８】
本発明では、例えば、トランスポートレイヤとパケットレイヤ、ＯＳＩ参照モデルで定義された異なるレイヤで、異なる信号速度やフレームフォーマットに対する要求される機能を実現した機能部が統合されたレイヤ統合装置において、レイヤ間に関連する、レイヤ間に跨る情報の設定および監視を可能にし、レイヤ間に跨る保守者に不要な情報を、保守者に設定させない、または通知させない処理部を有する設定装置が提供される。
【００１９】
本発明の設定装置で、レイヤ毎の情報の設定、および監視を処理可能にし、レイヤ毎の保守も可能とさせる処理部を有するようにしてもよい。
本発明の設定装置で、レイヤ間に関連する情報の処理を実施するか、レイヤ毎の処理を実施するかを選択する、レイヤ管理設定部を備えるようにしてもよい。
本発明の設定装置で、レイヤ間に関連する情報の処理を実施するか、レイヤ毎の処理を実施するかを選択した結果を、保守者に表示する機能を備えるようにしてもよい。
【００２０】
また、本発明では、例えば、外部からの設定が、ＮＥ（Ｎｅｔｗｏｒｋ  Ｅｅｌｅｍｅｎｔ、ネットワーク構成要素）に通知されることで、ＮＥがレイヤ間の情報を処理可能で、レイヤ間の処理した設定データおよび監視結果、また、レイヤ毎の設定データおよび監視結果の両方の情報を保持するＮＥが提供される。
本発明のレイヤ統合装置において、上述の外部から設定した情報から、ＮＥが保持する設定データおよび監視結果から設定された情報のみを、設定装置に通知するようにしてもよい。
【００２１】
本発明による障害設定装置は、一例として、第１のレイヤのネットワークと、第１のレイヤより上位の第２のレイヤのネットワークと、各レイヤに設けられ、障害を監視する監視制御部を有する複数のネットワーク構成装置（ＮＥ）とを備えた通信ネットワークに接続され、各ＮＥから障害情報を受信及び表示する障害設定装置であって、設定情報を管理する設定部と、前記設定情報を基に障害表示を処理する制御部とを有し、前記設定部は、レイヤ間の跨る処理を実施させる第１設定か、レイヤ個別の処理を実施させる第２設定かを設定し、前記設定部に前記第１設定が設定されている場合、前記各ＮＥの前記監視制御部から、各ＮＥ又は各ＮＥに関連する伝送路に関して第１のレイヤ障害が発生するとき、前記設定部は、第１のレイヤ障害情報と第２のレイヤ障害情報を含む複数の障害情報を受信し、前記制御部は、第２のレイヤ障害表示を通知せず、第１のレイヤ障害を表示させ、  前記各ＮＥの前記監視制御部から、各ＮＥ又は各ＮＥに関連する伝送路に関して第２のレイヤ障害が発生するとき、前記設定部は、第２のレイヤ障害情報のみを受信し、前記制御部は、第２のレイヤ障害を表示させる
ことを特徴とする。
【発明の効果】
【００２２】
本発明によれば、様々なレイヤが混在するネットワークに存在するレイヤ統合装置で、様々なニーズに対応する保守管理を、保守者の希望する構成に設定装置から変更可能とし、１種類のレイヤ統合装置に対し、複数の保守方法を任意に設定可能とすることができる。
【００２３】
保守者は、レイヤ統合で管理された保守管理を適用することで、障害・故障発生箇所の特定、緊急性の判別などの故障評定が即時判定に可能となる。例えばレイヤ個別設定による管理において、ＷＤＭで８８波システムで、全波長に１０ＧｂＥが収容され、１０ＧｂＥで１０１６個のパスを管理されている場合、ＷＤＭシステムの障害時に、レイヤ間に跨る警報を含めると８９４９６個（８８＋８８ｘ１０１６）の警報が発生する。１警報の解析に２秒を要した場合、最大で４９．７時間を要する計算となる。しかし、レイヤ統合設定で管理すれば、原因警報であるＷＤＭシステムの障害１個のみの発出となり、故障評定は２秒で実施可能となる。
【図面の簡単な説明】
【００２４】
【図１】本発明が適用される既存のネットワーク構成例を示す図である。
【図２】レイヤ統合装置の構成例を示す図である。
【図３】実施の形態１におけるＮＥと設定装置の構成例を示す図である。
【図４】実施の形態１における設定装置内の制御部の構成図である。
【図５】実施の形態１における設定装置内の処理シーケンス（１）である。
【図６】実施の形態１における設定装置内の処理シーケンス（２）である。
【図７】実施の形態２における監視制御部の構成図である。
【図８】実施の形態２における監視制御部内の情報管理部の構成図である。
【図９】監視制御部で実施される処理シーケンス（１）である。
【図１０】監視制御部で実施される処理シーケンス（２）である。
【発明を実施するための形態】
【００２５】
本実施の形態は、特に、レイヤ統合装置において、レイヤ間に跨る波及警報をマスク処理し、故障評定を即時に実施可能とする目的のためではなく、レイヤ統合装置を保守運用する対象レイヤの様々な運用方法を保守者の任意の設定により、設定されたレイヤの保守を容易にすることを目的としたものである。
以下では、本発明に関する代表的な２つの実施形態について、図面を用いて説明する。
【００２６】
１．実施の形態１
図３は、実施の形態１におけるＮＥと設定装置の構成例を示す図である。
本発明の実施の形態１における設定装置３０００（図２の設定装置２０２０に相当。）は、ＮＥ３００７からのＮＥ監視情報３００８を受信する通信機能部３００２と、保守者３００１が設定および監視をするために利用したり、制御部３００３からの保守情報を表示する表示部３００５と、表示部３００５を用いて保守者３００１が設定した設定情報３０１０の内容を管理する設定部３００４と、設定情報３０１０を基にＮＥ監視情報３００８を処理する制御部３００３と、制御部３００３からの情報を保存し、保持する記憶装置部３００６とを備える。なお、図３における、設定装置３０００及び監視制御部３００８は、図２で上述した、設定装置２０２０及び監視制御部２０１３にそれぞれ相当する構成としてもよい。あるいは、ＮＥ３００７は、図１で上述した、ＷＤＭ装置１００６、ＳＤＨ／ＳＯＮＥＴ装置１００５、ＡＤＳＬ／ＦＴＴＨ装置１００７、基地局１００８、ルータ１００９の各機器に相当するように構成してもよい。また、図示のように、ひとつの設定装置３０００により、複数のＮＥ３００７に対応することができる。
【００２７】
図４に、制御部の構成例を示す。図３における制御部３００３の具体的な構成例としては、図４に示すような構成が考えられる。
制御部３００３は、図３の通信機能部３００２からの各レイヤで発生したＮＥの警報情報や性能情報といった装置情報、保守者３００１が設定した保守設定情報を受信したり、これらを含む各種の情報を送信したりする制御入出力部４００４と、制御入出力部４００４からのＮＥ設定情報４００８を処理する設定情報管理部４００３と、制御入出力部４００４からのＮＥ管理情報４００９を管理する情報管理部４００２と、設定情報管理部４００３からのレイヤ設定情報４０１１や、情報管理部４００２からのレイヤ管理情報４０１０からレイヤ間に跨る情報を管理し、不要な情報を処理し、処理したレイヤ管理情報４０１０を情報管理部４００２に送信するレイヤ間情報処理部４００１を備える。さらに、レイヤ間情報処理部４００１は、レイヤ設定情報４０１１や、レイヤ管理情報４０１０から処理方法を決定し、処理を実施するレイヤ間処理部４００５と、レイヤ構成によって異なるレイヤ間情報４０１２を管理し、レイヤ間処理部４００５に通知するレイヤ間情報部４００６を備える。
【００２８】
具体的には、例えば、レイヤ種別に関係なくＮＥからの各レイヤで発生した警報等の障害情報や取得した情報がＮＥ情報４００７として制御部３００３に通知され、制御入出力部４００４は、ＮＥ情報４００７に対応するＮＥ管理情報４００９を情報管理部４００２へ出力し、情報管理部４００２がその情報を管理する。情報管理部４００２は、ＮＥ管理情報４００９に対応するレイヤ管理情報４０１０を出力する。
【００２９】
一方、保守者が設定したレイヤ統合設定か、レイヤ個別設定かといった設定情報４０１３に対応して、制御入出力部４００４によりＮＥ設定情報４００８が出力される。ＮＥ設定情報４００８により、レイヤ間の処理が必要と設定情報管理部４００３が判断した場合、設定情報管理部４００３は、レイヤ統合設定に対応するレイヤ設定情報４０１１をレイヤ間処理部４００５に送る。レイヤ間処理部４００５は、レイヤ統合設定に必要な設定方法を、予めその情報が記憶されているレイヤ間情報部４００６よりレイヤ間情報４０１２として入手する。そして、レイヤ間処理部４００５は、情報管理部４００２からのレイヤ管理情報４０１０に対し、レイヤ間情報４０１２を基にレイヤ間の障害情報のマスクや、警報名の付与等を実施し、その結果を情報管理部４００２に通知する。情報管理部４００２は、その結果をもとに、表示部３００５に障害表示を通知する。
【００３０】
一方、保守者が設定した設定情報４０１３より、レイヤ間の処理が不要となるレイヤ個別設定が実施されたと設定情報管理部４００３が判断した場合、設定情報管理部４００３は、レイヤ設定情報４０１１をレイヤ間処理部４００５に送信しない。情報管理部４００２は、レイヤ個別の障害に関する処理を実施し、管理された各レイヤの警報（障害表示）を表示部３００５に通知する。
【００３１】
図８に、情報管理部の構成例を示す。
情報管理部６００６（４００２）は、レイヤ毎の情報格納部（７００１〜７００４）とレイヤ間の跨る処理を実施した情報を格納するレイヤ間処理情報格納部７００５を有する。レイヤ毎の情報は、各格納部７００１〜７００４に格納し、レイヤ間の跨る処理を実施した情報は、レイヤ間処理情報格納部７００５に格納する。そして、情報管理部６００６（４００２）は、必要な情報を各格納部７００１〜７００５から読み出し、制御入出力部４００４を経て、設定装置３０００に通知する。
【００３２】
次に、以上のような設定装置で実施される処理シーケンスを説明する。
図５に、レイヤ統合設定による処理についてのシーケンス図を示す。
まず、保守者３００１は、レイヤ間の跨る処理を実施させる設定として、設定装置の表示部３００５から、レイヤ統合設定かレイヤ個別設定といった設定種類を選択可能である。ここでは、レイヤ統合設定を選択したとする。保守者３００１による選択結果である、レイヤ統合設定の保守者設定５００７は、保守方法設定５００８として、設定部３００４に通知され、レイヤ保守設定方法５００９として制御部３００３に管理される。ここで、制御部３００３は、レイヤ保守設定方法５００９により、Ｌ１障害情報５０１３、Ｌ０障害情報５０１４を同時に受信した場合、レイヤ間の障害情報の処理を実施し、Ｌ０レイヤの障害と識別可能な障害表示５０１５として、Ｌ１障害は表示せず、Ｌ０障害を表示させること、Ｌ１障害情報のみを受信した場合Ｌ１障害を表示すること等、を設定する。なお、さらに、Ｌ０障害情報のみを受信した場合、Ｌ０障害を表示しないこと等を設定するようにしてもよい。制御部３００３は、レイヤ統合処理が必要であるレイヤ保守設定方法５００９の設定が完了すると、設定完了通知５０１０を設定部３００４に通知し、表示部３００５に設定完了通知５０１１が通知され、保守者３００１は、保守者設定５００７であるレイヤ統合設定が、正しく設定されたことを認識可能である。
【００３３】
ここで、Ｌａｙｅｒ０（Ｌ０）障害５０１２が発生したとする。Ｌ０レイヤ障害５０１２とは、ここでは一例としてＷＤＭシステム（装置または伝送路等を含む。）での障害を意図するが、これに限られない。ＷＤＭシステムとは光信号の波長多重を用いたシステムのことであり、その光信号には、ＳＤＨ信号やパケット信号などが、透過で伝送されるシステムのことである。そのＬ０障害５０１２によって、Ｌ０障害情報５０１４、収容されたレイヤ１の信号に相当するＬａｙｅｒ１（Ｌ１）障害情報５０１３などの複数の警報が、監視制御部３００８より検出され、設定装置の通信機能部３００２を経由し、制御部３００３に通知される。制御部３００３は、レイヤ管理方法の設定されている状態が、レイヤ統合設定であるレイヤ保守設定方法５００９から、レイヤ間の処理が必要と認識しており、レイヤ保守方法として、Ｌ１障害情報５０１３、Ｌ０障害情報５０１４を同時に受信した場合、レイヤ間の障害情報の処理を実施し、Ｌ０レイヤの障害と識別可能な障害表示５０１５として、Ｌ１障害は表示せず、Ｌ０障害を表示させる。
【００３４】
また、レイヤ１で障害５０１７が発生したとする。この場合、Ｌ１レイヤ障害５０１７によって、Ｌ１障害情報５０１８が、監視制御部３００８より、設定装置の通信機能部３００２を経由し、制御部３００３に通知される。制御部３００３は、レイヤ管理方法の設定されている状態が、レイヤ統合設定であるレイヤ保守設定方法５００９から、レイヤ間の処理が必要と認識しているが、レイヤ保守方法として、Ｌ１障害情報５０１８のみを受信した場合、その他レイヤとの障害情報のマスク処理が不要と認識し、Ｌ１レイヤの障害と識別可能な障害表示５０１９として、Ｌ１障害を表示させる。
【００３５】
図６に、レイヤ個別設定による処理についてのシーケンス図を示す。
まず、保守者３００１が、レイヤ間の跨る処理を実施させない設定を意図している場合、レイヤ統合設定かレイヤ個別設定といった設定種類を表示した設定装置の表示部３００５から、レイヤ個別設定である保守者設定５０２１を選択する。その情報は保守方法設定５０２２として、設定部３００４に通知され、レイヤ保守設定方法５０２３として制御部３００３に管理される。ここで、制御部３００３は、レイヤ保守設定方法５０２３により、Ｌ１障害情報５０２７、Ｌ０障害情報５０２８を同時に受信した場合、レイヤ間の障害情報の処理を実施せず、障害表示５０２９として、Ｌ１障害とＬ０障害をそれぞれ一緒に表示させることを設定する。なお、さらに、Ｌ０障害情報のみ又はＬ１障害情報のみを受信した場合、それぞれＬ０障害又はＬ１障害を表示すること等を設定するようにしてもよい。制御部３００３は、レイヤ保守設定方法５０２３の設定が完了すると、設定完了通知５０２４を設定部３００４に通知し、表示部３００５に設定完了通知５０２５が通知され、保守者３００１は、設定したレイヤ個別設定が、正しく設定されたことを認識可能である。
【００３６】
ここで、Ｌ０障害５０２６が発生したとする。この時、Ｌ０障害５０２６によって、Ｌ１障害情報５０２７、Ｌ０障害情報５０２８などが、監視制御部３００８より、設定装置の通信機能部５００１を経由し、制御部３００３に通知される。制御部３００３は、レイヤ保守設定方法５０２３からレイヤ個別設定されているので、レイヤ間の処理が不要と認識しており、レイヤ保守方法として、Ｌ１障害情報５０２７、Ｌ０障害情報５０２８を同時に受信した場合、レイヤ間の障害情報の処理を実施せず、障害表示５０２９として、Ｌ１障害とＬ０障害をそれぞれ一緒に表示させる。
【００３７】
２．実施の形態２
実施の形態１では、レイヤ間の跨る処理をＯｐＳである設定装置で実施したが、設定装置は通常、数千台のＮＥを監視制御するため、設定装置のハードウェアの負荷が大きくなり、設定装置を実現するハードウェアの性能に対し、高性能が必要とされる。よって、実施の形態２では、ＮＥの監視制御部にて、レイヤ間の跨り処理を実施させ、設定装置の負荷を低減させる。ここでは、その処理結果と、レイヤ毎の処理結果の両方を保守者の保守設定に関係なく、ＮＥ監視制御部で保持させ、保守者が設定した設定方法に対応する監視結果のみをＯｐＳに通知させる構成を説明する。これにより、ＮＥ監視制御部は自身のＮＥのみを監視すればよく、ハードウェアはさほど高水準でなくとも、実現可能である。なお、上述の処理に関する構成以外の設定装置の構成は、図３と同様とすることができる。
【００３８】
図７に、ＮＥ監視制御部の構成例を示す。
監視制御部６０００は、制御入出力部６００８と設定情報管理部６００７と情報管理部６００６とレイヤ間情報処理部６００５を備える。さらに、レイヤ間情報処理部６００５は、レイヤ間処理部６００９とレイヤ間情報部６０１０を有する。
【００３９】
監視制御部６０００は、信号収容部６００１とＷＤＭ機能部６００２と多重分離部６００３とスイッチ部６００４と装置内又は装置外で接続される。各機能部（６００１〜６００４）については、図２について上述した、レイヤ統合装置２０００の各機能部（２００９〜２０１２）に相当するように構成することができる。また、図４のレイヤ間情報処理部４００１、情報管理部４００２、設定情報管理４００３、制御入出力部４００４は、図７のレイヤ間情報処理部６００５、情報管理部６００６、設定情報管理部６００７、制御入出力部６００８にそれぞれ相当し、さらに、図４のレイヤ間処理部４００５、レイヤ間情報部４００６は、図７のレイヤ間処理部６００９、レイヤ間情報部６０１０にそれぞれ相当する。そして、制御入出力部６００８の入出力動作以外は、これら各部の動作は概略上述した通りである。
【００４０】
装置内で発生した障害情報は、各機能部（６００１〜６００４）から監視制御部６０００に通知される。また、保守者が設定した設定情報６０１５は、監視制御部６０００から各機能部（６００１〜６００４）に設定される。その監視や設定はＮＥ情報（６０１１〜６０１４）を利用し、実施される。
【００４１】
ＮＥ内で障害が発生した場合、その障害は、信号収容部６００１、ＷＤＭ機能部６００２、多重分離部６００３、スイッチ部６００４で、全ての機能とは限らず、信号を収容する機能部のみで検出され、その検出した障害情報は、ＮＥ情報（６０１１〜６０１４）として、制御入出力部６００８に通知され、ＮＥ管理情報６０１７として、情報管理部６００６に通知される。情報管理部６００６は、各機能部からの全ての障害情報であるＮＥ管理情報６０１７を保存する。また、情報管理部６００６は、一方で、ＮＥ管理情報６０１７をレイヤ管理情報６０１８として、レイヤ間処理部６００９に通知する。レイヤ間処理部６００９は、レイヤ管理情報６０１８と、レイヤ間情報部６０１０より入手したレイヤ間情報６０２０を基に、レイヤ間の跨る障害検出や、不要警報の抑止などを実施する。そして、レイヤ間処理部６００９は、レイヤ統合設定としての処理結果を情報管理部６００６に通知し、情報管理部６００６はその結果も保存する。つまり、情報管理部６００６は、各機能部（６００１〜６００４）で検出された各機能部の情報や、レイヤ間で不要な警報をマスク処理された情報の両方の情報を保持する。
【００４２】
そして、保守者が設定した、設定装置に表示すべき設定方法がレイヤ統合設定かレイヤ個別設定かの情報が、設定情報６０１５として、監視制御部６０００に通知される。監視制御部６０００は、その要求に対して、情報管理部６００６が保存している情報から、レイヤ毎の情報かレイヤ間の処理情報かを選択し、設定装置に応答する。
【００４３】
すなわち、まず、保守者が設定したレイヤ統合設定か、レイヤ個別設定かといった設定情報６０１５に対応して、制御入出力部６００８によりＮＥ設定情報６０１６が出力される。ＮＥ管理情報６０１７により、レイヤ間の処理が必要と設定情報管理部６００７が判断した場合、設定情報管理部６００７は、レイヤ統合設定に対応するレイヤ設定情報６０１９をレイヤ間処理部６００９に送る。レイヤ間処理部６００９は、レイヤ統合設定に必要な設定方法を、予めその情報が記憶されているレイヤ間情報部６０１０よりレイヤ間情報６０２０として入手する。そして、レイヤ間処理部６００９は、情報管理部６００６からのレイヤ管理情報６０１８に対し、レイヤ間情報６０２０を基にレイヤ間の障害情報のマスクや、警報名の付与等を実施し、その結果を情報管理部６００６に通知する。情報管理部６００６は、その結果をもとに、設定装置の表示部に障害表示を通知する。
【００４４】
一方、保守者が設定した設定情報６０１５より、レイヤ間の処理が不要となるレイヤ個別設定が実施されたと設定情報管理部６００７が判断した場合、設定情報管理部６００７は、レイヤ設定情報６０１９をレイヤ間処理部６００９に送信しない。情報管理部６００６は、レイヤ個別の障害に関する処理を実施し、管理された各レイヤの警報（障害表示）を設定装置の表示部に通知する。
なお、情報管理部の構成例は、図８で示したものと同様の構成を用いることができる。
【００４５】
次に、監視制御部で実施される処理シーケンスを説明する。
図９に、レイヤ統合設定による処理についてのシーケンス図を示す。図５との差は、特に、レイヤ保守方法設定５００９’及び設定完了通知５０１０’が監視制御部６０００に関して実行されている点と、レイヤ統合設定によるレイヤ保守方法が図５では制御部３００３で実行されていたが、図９では、監視制御部６０００で実行される点である。その他は図５で説明したものと同様である。
【００４６】
図１０に、レイヤ個別設定による処理についてのシーケンス図を示す。図５との差は、特に、レイヤ保守方法設定５０２３’及び設定完了通知５０２４’が監視制御部６０００に関して実行されている点と、レイヤ個別設定によるレイヤ保守方法が図５では制御部３００３で実行されていたが、図９では、監視制御部６０００で実行される点である。その他は図６で説明したものと同様である。
【産業上の利用可能性】
【００４７】
ネットワークに接続されるレイヤの信号種の多様化に伴い、ネットワークを構成している用品種が増加し、保守者の操作性を悪化させるだけでなく、設備投資費が莫大になることが懸念されている。また、複雑かつ多品種化されたネットワーク機器の接続作業を、柔軟に対応可能な伝送装置が求められている。
【００４８】
本課題に対し、上位制御部からのオペレーションのみで、保守者のニーズにあったレイヤ管理が可能となり、通信業者や保守者で異なる保守体系を意識することなく、同一の装置で運用可能となることで、本発明の利用価値は極めて高いと考える。
【００４９】
レイヤＬ０、Ｌ１等の各レイヤの処理部は、上述した例に限らず、本発明は様々なレイヤＬ０、Ｌ１の処理部に適用することができる。また、レイヤＬ０、Ｌ１に限らず、本発明は他の様々なレイヤＬ２、Ｌ３・・・等に適用することができる。
【符号の説明】
【００５０】
１０００：コアネットワーク網、１００１：メトロネットワーク網、１００２：個人宅用ネットワーク、１００３：モバイル用ネットワーク、１００４：企業用ネットワーク、１００５：ＳＤＨ／ＳＯＮＥＴ、１００６：ＷＤＭ、１００７：ＡＤＳＬ／ＦＴＴＨ、１００８：基地局、１００９：ルータ
２０００：レイヤ統合装置、２００１：ＷＤＭ機能部、２００２：監視制御部、２００３：信号収容部、２００４：多重分離部、２００５：監視制御部、２００６：信号収容部、２００７：スイッチ部、２００８：監視制御部、２００９：信号収容部、２０１０：ＷＤＭ機能部、２０１１：多重分離部、２０１２：スイッチ部、２０１３：監視制御部、２０１４：ＳＤＨ／ＳＯＮＥＴ、２０１５：ＷＤＭ、２０１６：ルータ、２０１７：ＷＤＭ設定装置、２０１８：ＳＤＨ／ＳＯＮＥＴ設定装置、２０１９：ルータ設定装置、２０２０：設定装置
３０００：設定装置、３００１：保守者、３００２：通信機能部、３００３：制御部、３００４：設定部、３００５：表示部、３００６：記憶装置部、３００７：ＮＥ、３００８：監視制御部
４０００：制御部、４００１：レイヤ間情報処理部、４００２：情報管理部、４００３：設定情報管理部、４００４：制御入出力部、４００５：レイヤ間処理部、４００６：レイヤ間情報部
６０００：ＮＥ監視制御部、６００１：信号収容部、６００２：ＷＤＭ機能部、６００３：多重分離部、６００４：スイッチ部、６００５：レイヤ間情報処理部、６００６：情報管理部、６００７：設定情報管理部、６００８：制御入出力部、６００９：レイヤ間処理部、６０１０：レイヤ間情報部
【図１】
2011155388.tif 000003
【図２】
2011155388.tif 000004
【図３】
2011155388.tif 000005
【図４】
2011155388.tif 000006
【図５】
2011155388.tif 000007
【図６】
2011155388.tif 000008
【図７】
2011155388.tif 000009
【図８】
2011155388.tif 000010
【図９】
2011155388.tif 000011
【図１０】
2011155388.tif 000012